(57)【要約】【課題】蛍光灯インバータ安定器を備えた灯具に装着されたＬＥＤ照明灯の省電力化を図る。【解決手段】照明灯１００がインバータ安定器を備えた灯具に装着された際に、抵抗７０および電流検出回路７１で、電源供給配線を流れる電流の電流量を検出する。そして、省電力切替回路６０が、所定以上の電流量となった際に、所定以上の電流量となってから連続して経過した時間に応じて、電源供給配線に接続する無効電流用コンデンサの容量（数）を調整する。これにより、接続した無効電流用コンデンサの容量に応じて、インバータ安定器からの出力の一部を無効電流として、インバータ安定器側に還流させることができ、電源供給配線を流れる電流を減少させて、省電力化を図ることができる。【選択図】図１２
2015176830.tif 000002
【特許請求の範囲】
【請求項１】
蛍光灯インバータ安定器を備えた灯具に接続可能な照明灯であって、
半導体発光素子と、
フィラメント相当のインピーダンスを生成する抵抗回路と、
前記蛍光灯インバータ安定器に接続された際に、配線に流れる電流の電流量を検出する電流量検出部と
を有する照明灯。
【請求項２】
前記配線に流れる電流の一部を前記蛍光灯インバータ安定器側に還流させる無効電流を生成するための無効電流生成部と、
前記電流量検出部で所定以上の電流量が検出された際に、前記無効電流生成部を前記配線に接続する切替回路と、をさらに備えたこと
を特徴とする請求項１に記載の照明灯。
【請求項３】
前記無効電流生成部は、第１の無効電流用コンデンサ、および第１の無効電流用コンデンサを前記配線に接続する第１のスイッチを備えた第１の回路と、
第２の無効電流用コンデンサ、および第２の無効電流用コンデンサを前記配線に接続する第２のスイッチを備えた第２の回路とを有し、
前記切替回路は、前記電流量検出部で所定以上の電流量が検出された際に、前記第１の無効電流用コンデンサまたは前記第２の無効電流用コンデンサのうち、前記灯具に対する当該照明灯の装着方向に対応して、前記配線に流れる電流の一部を無効電流として前記蛍光灯インバータ安定器側に還流させるように機能する方の無効電流用コンデンサを前記配線に接続するように、前記第１のスイッチまたは前記第２のスイッチをオン制御すること
を特徴とする請求項２に記載の照明灯。
【請求項４】
複数の前記無効電流生成部を有し、
前記切替回路は、前記電流量検出部で所定以上の電流量が連続して検出される時間に応じて、前記各無効電流生成部を順に前記配線に接続すること
を特徴とする請求項３に記載の照明灯。
【請求項５】
請求項１乃至４のいずれか一項に記載の照明灯と、
前記照明灯を装着する灯具と、
を備えていることを特徴とする照明装置。
【請求項６】
半導体発光素子と、フィラメント相当のインピーダンスを生成する抵抗回路とを備え、蛍光灯インバータ安定器を備えた灯具に接続可能な照明灯の省電力駆動方法であって、
前記インバータ安定器に接続された際に、電流量検出部が、配線に流れる電流の電流量を検出する電流検出ステップと、
前記電流量検出部で所定以上の電流量が検出された際に、切替回路が、前記配線に流れる電流の一部を蛍光灯インバータ安定器側に還流させる無効電流を生成するための無効電流生成部を前記配線に接続する接続ステップと
を有することを特徴とする照明灯の省電力駆動方法。
【発明の詳細な説明】
【技術分野】
【０００１】
本発明は、照明灯、照明装置、および照明灯の省電力駆動方法に関する。
【背景技術】
【０００２】
今日において、フィラメント電極を有する蛍光灯に代えて、消費電力の少ない発光ダイオード（ＬＥＤ）を用いた照明灯（ＬＥＤ照明灯）が普及しつつある。特許文献１（特開２００８−２７７１８８号公報）には、グロースタータ式蛍光灯用の照明器具、ラピッドスタート式蛍光灯用の照明器具、および蛍光灯用のインバータ式の電子蛍光灯安定器を備えた照明器具に取り付け可能なＬＥＤ照明灯が開示されている。
【発明の概要】
【発明が解決しようとする課題】
【０００３】
ここで、インバータ式の電子蛍光灯安定器（インバータ安定器）を備えた灯具にＬＥＤ照明灯が装着された際に、スイッチング素子等を用いてインバータ安定器の出力電流を定電流制御しようとすると、インバータ安定器の保護回路が機能し、出力が停止する。このため、従来は、ＬＥＤ照明灯の全光束および消費電力は、インバータ安定器の出力で決定されており、スイッチング素子等を用いて調整することは困難となっていた。換言すると、従来は、ＬＥＤ照明灯の全光束および消費電力は、インバータ安定器の出力に依存しており、所望の全光束および消費電力に調整困難な問題があった。このため、従来、インバータ安定器を備えた灯具に装着された際に、ＬＥＤ照明灯の省電力化を図ることは困難となっていた。
【０００４】
本発明は、上述の課題に鑑みてなされたものであり、ＬＥＤ照明灯の省電力化を図ることが可能な照明灯、照明装置、および照明灯の省電力駆動方法の提供を目的とする。
【課題を解決するための手段】
【０００５】
上述した課題を解決し、目的を達成するために、本発明は、半導体発光素子と、フィラメント相当のインピーダンスを生成する抵抗回路とを備え、蛍光灯インバータ安定器を備えた灯具に接続可能な照明灯の省電力駆動方法であって、蛍光灯インバータ安定器に接続された際に、電流量検出部が、配線に流れる電流の電流量を検出する電流検出ステップと、電流量検出部で所定以上の電流量が検出された際に、切替回路が、配線に流れる電流の一部を蛍光灯インバータ安定器側に還流させる無効電流を生成するための無効電流生成部を配線に接続する接続ステップとを有する。
【発明の効果】
【０００６】
本発明によれば、半導体発光素子を用いた照明灯の省電力化を図ることができるという効果を奏する。
【図面の簡単な説明】
【０００７】
【図１】図１は、実施の形態の照明装置の外観斜視図である。
【図２】図２は、灯具を長手方向に沿って切断した断面図である。
【図３】図３は、照明灯の分解斜視図である。
【図４】図４は、照明灯の両端部の分解斜視図である。
【図５】図５は、照明灯の横断面図である。
【図６】図６は、実施の形態の照明灯のブロック図である。
【図７】図７は、フィルタ回路とは別に高周波用フィルタ回路を設ける構成とした場合の、実施の形態の照明灯のブロック図である。
【図８】図８は、ドライブ回路をバイパス可能な構成とした場合の、実施の形態の照明灯のブロック図である。
【図９】図９は、ドライブ回路とは別に第２のドライブ回路を設ける構成とした場合の、実施の形態の照明灯のブロック図である。
【図１０】図１０は、省電力切替回路を設ける構成とした場合の、実施の形態の照明灯のブロック図である。
【図１１】図１１は、ラピッド検知回路を設ける構成とした場合の、実施の形態の照明灯のブロック図である。
【図１２】図１２は、照明灯内に設けられた電流量検出部および無効電流生成部の一例を示す回路図である。
【図１３】図１３は、フィルタ回路を設けない構成とした場合の、実施の形態の照明灯のブロック図である。
【発明を実施するための形態】
【０００８】
以下、一例として、本発明を適用した実施の形態となる照明装置を詳細に説明する。
【０００９】
（第１の実施の形態）
まず、図１に、実施の形態の照明装置の外観斜視図を示す。この図１に示すように、照明装置２００は、照明灯１００と、照明灯１００が装着される灯具１５０とを備えている。
【００１０】
照明灯１００は、キャップ部材１ａ，１ｂ、筐体２、および透光部材３を有している。筐体２は、例えばアルミニウム合金またはマグネシウム合金等の金属部材を押出成形して作られた長尺形状を有している。また、筐体２は、断面が略半円筒形状となるように形成されている。透光部材３は、筐体２と組み合わされることで、全体が略円筒形状となるように、筐体２と同様に長尺の略半円筒形状を有している。また、透光部材３は、後述する複数のＬＥＤから発光された光束を透過するように、樹脂またはガラスで形成されている。
【００１１】
キャップ部材１ａ，１ｂは有底円筒形状を有しており、筐体２および透光部材３の各両端部のキャップとして機能する。また、キャップ部材１ａ，１ｂは、灯具１５０のソケット１５１ａ、１５１ｂに取り付けられることで、灯具１５０と照明灯１００との物理的かつ電気的な接続を図る。
【００１２】
なお、この例では、筐体２は略半円筒形状であることとしたが、略半円筒形状に限定する必要はない。図１では、透光部材３を半円形で描いているが、蛍光灯のように断面が筒状になっていて、透光部材３が筐体２を包むような構成であってもよい。
【００１３】
図２は、灯具１５０を長手方向に沿って切断した断面図である。灯具１５０は、蛍光灯安定器１５３と、照明灯１００を着脱可能に装着するソケット１５１ａおよび１５１ｂとを有し、商用交流電源と接続可能に構成されている。商用交流電源の周波数は、例えば５０Ｈｚまたは６０Ｈｚ等である。商用交流電源からの電力は、蛍光灯安定器１５３に供給される。図２に示すように灯具１５０は、ソケット１５１ａ、１５１ｂの反対側が、例えば天井等に埋め込まれており、ソケット１５１ａ、１５１ｂ側が解放されている。
【００１４】
ソケット１５１ａ、１５１ｂは、一対の電極端子１５２ａ，１５２ｂおよび配線１５４を介して、蛍光灯安定器１５３に接続されている。蛍光灯安定器１５３は、例えば周知の蛍光灯グロー安定器、蛍光灯ラピッド安定器、蛍光灯インバータ安定器等である。ただし、照明灯１００は商用交流電源と直結可能に構成されており、その場合には蛍光灯安定器１５３は不要となる。このように、照明灯１００は、蛍光灯グロー安定器、蛍光灯ラピッド安定器、蛍光灯インバータ安定器、および商用交流電源の何れとも接続可能に構成することができる。
【００１５】
次に、図３に照明灯１００の分解斜視図を示す。図３の（ａ）の符号を付した図は、照明灯１００の長手方向に向かって左側の端部近傍の分解斜視図である。また、図３の（ｂ）の符号を付した図は、照明灯１００の長手方向に向かって右側の端部近傍の分解斜視図である。この図３に示すように、キャップ部材１ａ，１ｂは、複数のねじ５ａ，５ｂ，５ｃ，５ｄによって、筐体２に締付固定される。これにより、キャップ部材１ａ，１ｂは、筐体２と嵌合した透光部材３とが一体的になるように包み込んでいる。つまり、キャップ部材１ａ，１ｂは、筐体２および透光部材３の各両端部を覆うように形成されて設けられている。
【００１６】
キャップ部材１ａ，１ｂは、ねじ止めではなく、筐体２との継ぎ目を工具等で固く密着させて（カシメて）製作してもよいし、インサート成形してもよい。キャップ部材１ａ，１ｂの形状は、既存の蛍光灯の両端に位置するキャップ部材（口金）と略同一の形状とされている。照明灯１００は、灯具１５０に取り付けられている既存の蛍光灯に代えて、容易に交換可能となっている。
【００１７】
図３および図４に示すように、一方のキャップ部材１ａには端子４ａ，４ｂが、他方のキャップ部材１ｂには電極端子４ｃ，４ｄが、それぞれキャップ部材１ａまたはキャップ部材１ｂから長手方向に沿って突出するように設けられている。各キャップ部材１ａまたはキャップ部材１ｂに対して電極端子４ａ，４ｂ，４ｃ，４ｄを設ける場合、インサート成形、カシメ、ねじ締結等の固定方法を用いることができる。照明灯１００は、図３の（ｂ）の符号を付した図に示すように、各キャップ部材１ａ，１ｂ内に配置されたコネクタ１６等を介して商用電源Ｅからの交流電力を取り込む。取り込まれた交流電力は、リード線６ａ，６ｂ，６ｃ，６ｄを介して、図３の（ａ）の符号を付した図に示す電源基板７に給電される。
【００１８】
電源基板７には、商用電源Ｅから得られた交流電源を、直流電源に変換して実装基板１１ａ，１１ｂに供給するための直流電源変換用の電子部品９が設けられている。実装基板１１ａ，１１ｂには、図４の（ａ）および（ｂ）の符号を付した図に示すように、複数のＬＥＤ１２ａが長手方向に実装されたＬＥＤモジュール５７が設けられている。ＬＥＤは、半導体発光素子の一例である。また、ＬＥＤは、「light  emitting  diode」の略記である。電源基板７は、図３の（ａ）の符号を付した図に示すように、略半円筒形状の筐体２の内部に収納され、筐体２内で動かないよう固定されている。また、この実施の形態の照明装置の場合、リード線６ａ，６ｂは、リード線６ｃ，６ｄよりも短くなっている。
【００１９】
電子部品９によって直流に整流された電流は、図４の（ａ）の符号を付した図に示すリード線１３ａ、１３ｂを介して実装基板１１ａ，１１ｂに供給される。長手方向に並列配置された実装基板１１ａ，１１ｂの間は、図示しないリード線やジャンパー線等で電気的に接続されている。なお、この例では、ＬＥＤモジュール５７を実装する実装基板として、実装基板１１ａ，１１ｂの２枚を図示しているが、１枚または３枚以上の実装基板を設けてもよい。
【００２０】
図３および図４に示すように、実施の形態の照明装置の場合、実装基板１１ａの下方側に電源基板７を配置し、実装基板１１ｂ側には何も配置していない。換言すれば、実装基板１１ｂ側は、筐体２内が空洞となるように、平面的に構成されている。また筐体２の半円の弦に相当する部分となる平面部１４に、実装基板１１ａ，１１ｂが装着される。この平面部１４と実装基板１１ａ，１１ｂの間には、それぞれシート状の樹脂部材１０ａ，１０ｂを、平面部１４と実装基板１１ａ，１１ｂとでそれぞれ挟むようにして介装して配設している。
【００２１】
図３および図４に示すように、その両端にリード線６ａ、６ｂとリード線６ｃ，６ｄがそれぞれ接続された電源基板７は、図５に示すように、長手方向に延びるカバー部材となる樹脂製のホルダ３０で周囲が覆われている。リード線６ａとリード線６ｂの先端と、リード線６ｃとリード線６ｄの先端には、各コネクタ１６に挿入するための口金部が設けられている。ホルダ３０は、電源基板７と同等以上の長さを有する長尺形状を有し、断面形状に切断部がない連続した筒状部品である。ホルダ３０は、押出成形、引抜成形、射出成形等の成型方法により形成することができる。ホルダ３０の材質は、例えばＰＣ（ポリカーボネート）、ＰＡ（ナイロン）が用いられる。
【００２２】
ホルダ３０は、図５に示すように、筐体２の内部に収納可能であって、長手方向において略同一の断面形状とされている。電源基板７はホルダ３０に着脱可能に装着されることでホルダ３０と一体化される。
【００２３】
すなわち、図５に示すように、ホルダ３０の長手方向と交差する幅方向に位置する側面３０ａ、３０ｂには、幅方向に突出して受け台部３１a，３１ｂが形成されている。これら受け台部３１a，３１ｂは、電源基板７をホルダ３０内に端部側から挿入する際の案内レール部として機能する。受け台部３１a，３１ｂは、電源基板７の挿入後においては、電源基板７とホルダ３０の底部３０ｃとの間に離間部（空間部）３２が形成されるように電源基板７を支持する。離間部３２は、電源基板７から突出した図３の（ａ）の符号を付した図に示す電子部品９のリード線が、ホルダ３０に触れない、或いは電気的絶縁性が確保できるような距離Ｚ１を確保するためのものである。
【００２４】
ホルダ３０は、電源基板７の全体（周囲）を外側から覆うことで、筐体２内部において電源基板７を筐体２から離隔している。ホルダ３０は、図５に示すように、筐体２内において筐体２の内側面と接触する。ホルダ３０は、筐体２内で滑りやすくするため、筐体２の内側面と接触する表面を平滑面としている。この例の場合、ホルダ３０は、同ホルダ３０を分割するための切断部が無い断面形状である。このため、ホルダ３０内へ電源基板７を設置する場合、開口されているホルダ３０の端部から電源基板７をホルダ３０内に挿入することになる。ホルダ３０と電源基板７は、筐体２への装着前に一体化されて電源基板ユニットとして構成され、電源基板ユニットの状態で筐体２の端部から筐体２の内部に挿入される。
【００２５】
このような構成によると、電源基板７の周囲を覆い、電源基板７を筐体２から離隔し、筐体２内に収納可能な断面が略同一形状で長手方向に延びる樹脂製のホルダ３０を有するので、筐体２との電気的絶縁性を保つことができ、高い安全性を確保できる。また、電気的絶縁性を確保するために、筐体２の内部へ絶縁材の塗装を行わなくても良いので、低コストで筐体２を製作できる。さらに、筐体２内が、ホルダ３０によって電源基板７と筐体２とに区分して離間できるため、電子部品９のリード線１３ａ、１３ｂが突出していても筐体２に触れることがなく、チップ部品などの高価な部品を用いることなく作製できる。
【００２６】
また、実施の形態の照明装置の場合、電源基板７と実装基板１１ａ、１１ｂの間にホルダ３０（ホルダ３０の底部３０ｃ）を設けているため、電源基板７の熱が実装基板１１ａ、１１ｂに伝わりにくくなり、ＬＥＤモジュール５７に与える熱の影響が全てのＬＥＤで均一になる。このため、時間の経過と共に部分的にＬＥＤの寿命が短くなる不都合を防止できる。
【００２７】
また、電源基板７と一体化したホルダ３０の接触面が平滑となっているため、摩擦抵抗を小さくでき、筐体２内において電源基板ユニットを滑走させることができる。このため、両端の口金部にコネクタ１６を挿す作業を容易化できる。
【００２８】
また、ホルダ３０の断面形状には切れ目がなく、連続するように形成しているので、直接、電子部品９が筐体２に接触することがなくなり、筐体２との電気的絶縁性が保たれ、高い安全性を確保できる。また、電気的絶縁性を確保するために筐体２の内部への塗装を行わなくても良いので、安価に筐体２を製作できる。
【００２９】
次に、図６に、照明灯１００の実装基板１１ａ、１１ｂ、および電源基板７に設けられている各回路のブロック図を示す。図６に示す基板は、「ＬＥＤドライブボード」と呼ばれる基板である。このＬＥＤドライブボードには、主要部としてインバータ検知回路５１、抵抗回路５２、フィルタ回路５３、切替回路５４、整流回路５５、ドライブ回路５６、およびＬＥＤモジュール５７が設けられている。
【００３０】
インバータ検知回路５１は、インバータ式の灯具に対する照明灯１００の装着を検知する。抵抗回路５２は、蛍光灯のフィラメントに相当するインピーダンスを生成する回路である。後述するが、この例の場合、抵抗回路５２は、抵抗およびコンデンサの並列回路で、フィラメントに相当するインピーダンスを生成している。また、抵抗およびコンデンサの並列回路には、直列にインダクタが接続されている。インダクタとしては、例えばフェライトビーズが設けられており、ノイズを除去して、インバータ式の灯具に対する照明灯１００の装着時おける、インバータ点灯率の向上を図っている。
【００３１】
フィルタ回路５３は、ＥＭＩ対策フィルタであり、照明灯１００から周囲に発する電磁ノイズを低減するための回路である。ＥＭＩは、「Electro  Magnetic  Interference」の略記である。フィルタ回路５３は、例えば、ライン間コンデンサ（Ｘコンデンサ）、対アースコンデンサ（Ｙコンデンサ）、コモンモードコイル、ノーマルモードコイル等を直列や並列に接続した回路（図示せず）とすることができる。照明灯１００は、フィルタ回路５３を設けることで、電磁ノイズを低減することが可能となり、ＥＭＩ規格を満足することができる。切替回路は、例えば、リレーや半導体スイッチ（ＦＥＴ等）により構成することができる。切替回路５４は、照明灯１００がＡＣ直結式、グロースタータ式またはラピッドスタート式の灯具に装着された際に、抵抗回路５２に対する電力の供給を切断する。換言すると、切替回路５４は、照明灯１００がインバータ式の灯具に装着された際に、抵抗回路５２に対して電力を供給する回路となっている。また、フィルタ回路５３は、切替回路により、バイパス可能に構成されてもよい。切替回路５４は、照明灯１００が蛍光灯グロー安定器、蛍光灯ラピッド安定器、および商用交流電源に装着された際に、フィルタ回路５３を電源供給配線に接続する。なお、電源供給配線とは、商用交流電源、蛍光灯ラピッド安定器、蛍光灯グロー安定器、蛍光灯インバータ安定器のいずれかから、入力された電源を供給するための配線である。換言すると、切替回路５４は、照明灯１００が蛍光灯インバータ安定器に装着された際に、電源供給配線からフィルタ回路５３を切断する。なお、後述する図１３に記載のように、フィルタ回路５３が設けられていない構成では、この限りではない。
【００３２】
整流回路５５は、例えば４つの整流ダイオードＤ１〜Ｄ４をブリッジ状に接続して形成した、全波整流型の整流回路となっている。ドライブ回路５６は、電流をモニタするための電流モニタ抵抗、スイッチング素子、および制御ＩＣを有している。
【００３３】
ドライブ回路５６は、複数の発光ダイオード（ＬＥＤ）を備えたＬＥＤモジュール５７を駆動する回路である。ドライブ回路５６は、例えば、昇降圧回路や定電流回路等を含む構成とすることができる。ドライブ回路５６を設けることで、整流回路５５から供給される電圧が変動してもＬＥＤモジュール５７に定格を超えない適正な電流を供給でき、ＬＥＤモジュール５７の故障を防止すると共に省電力化を図ることができる。
【００３４】
照明灯１００は、蛍光灯グロー安定器、蛍光灯ラピッド安定器、蛍光灯インバータ安定器、および商用交流電源の何れの電力供給部にも接続できるが、接続される対象により使用する回路を選択可能に構成されている。インバータ検知回路５１は、入力部に接続された電力供給部の方式を検知する検知回路である。
【００３５】
インバータ検知回路５１は、照明灯１００が灯具２００に接続されて通電された際に、灯具２００に内蔵された蛍光灯安定器１５３が蛍光灯インバータ安定器であるか否かを検知する回路である。蛍光灯安定器１５３が蛍光灯インバータ安定器である場合、蛍光灯安定器１５３から照明灯１００に入力される信号の周波数は数１０ｋＨｚ程度の高周波である。
【００３６】
一方、蛍光灯安定器５０が蛍光灯グロー安定器、蛍光灯ラピッド安定器、商用交流電源の何れかである場合、蛍光灯安定器１５３から（或いは、商用交流電源から直接）照明灯１００に入力される信号の周波数は５０〜６０Ｈｚ程度の低周波である。そこで、インバータ検知回路５１は、例えば照明灯１００に入力される信号の周波数に基づいて、灯具２００に内蔵された蛍光灯安定器１５３が蛍光灯インバータ安定器であるか否かを検知することができる。
【００３７】
インバータ検知回路５１が、灯具１００に内蔵された蛍光灯安定器１５３が蛍光灯インバータ安定器であることを検知した場合には、切替回路５４により、フィルタ回路５３がバイパスされる。
【００３８】
また、図７に記載のように、フィルタ回路５３とは別に、高周波用フィルタ回路５３ｂを設ける構成としてもよい。インバータ検知回路５１が、灯具２００に内蔵された蛍光灯安定器１５３が蛍光灯インバータ安定器であることを検知した場合には、切替回路により、高周波用フィルタ回路を通るようにしてもよい。そのため、フィルタ回路５３およびドライブ回路５６をバイパスしても、ＥＭＩノイズの問題は生じず、また、ＬＥＤモジュール５７に定格を超えない適正な電流を供給することが可能である。また、蛍光灯安定器１５３にフィルタ回路に相当する機能が備えられている場合もある。
【００３９】
さらに、図８に記載のように、ドライブ回路５６は、切替回路により、バイパス可能に構成されてもよい。切替回路は、例えば、リレーや半導体スイッチ（ＦＥＴ等）により構成することができる。切替回路によりフィルタ回路５３がバイパスされた場合には、整流回路５５の出力は、ドライブ回路５６をバイパスしてＬＥＤモジュール５７に供給される。なお、図８の照明灯においても、インバータ検知回路５１が、灯具２００に内蔵された蛍光灯安定器１５３が蛍光灯インバータ安定器であることを検知した場合には、切替回路により、高周波用フィルタ回路を通るようにしてもよい。
【００４０】
さらに、図９に記載のように、ドライブ回路５６ａとは別に、第２のドライブ回路５６ｂを設ける構成にしてもよい。インバータ検知回路５１が、灯具２００に内蔵された蛍光灯安定器１５３が蛍光灯インバータ安定器であることを検知した場合には、切替回路により高周波用フィルタ回路を通るようにしてもよい。
【００４１】
さらに、図１０に記載のように、照明灯１００は、省電力切替回路６０を設けることができる。詳しくは後述するが、省電力切替回路６０は、照明灯１００がインバータ式の灯具に装着された際に、電流量に応じて消費電力の削減制御を行う。
【００４２】
さらに、図１１に記載のように、照明灯１００は、ラピッド検知回路６１を設ける構成にしてもよい。ラピッド検知回路６１は、照明灯１００が灯具２００に接続されて通電された際に、灯具２００に内蔵された蛍光灯安定器１５３が蛍光灯ラピッド安定器であるか否かを検知する回路である。例えば、ラピッド検知回路６１が、灯具２００に内蔵された蛍光灯安定器１５３が蛍光灯ラピッド安定器であることを検知した場合に、フィルタ回路５３およびドライブ回路５６のバイパスはされないが、ドライブ回路５６の仕様を変更する構成としてもよい。
【００４３】
なお、インバータ検知回路５１が蛍光灯安定器１５３が蛍光灯インバータ安定器であることを検知せず、かつ、ラピッド検知回路６１が蛍光灯安定器１５３が蛍光灯ラピッド安定器であることを検知しない場合には、蛍光灯安定器１５３が蛍光灯グロー安定器、または、蛍光灯安定器１５３を介さず照明灯１００が商用交流電源に直結されたと認識する。この場合、口金を介して照明灯１００に入力された信号は、フィルタ回路５３を経由して整流回路５５に供給される。そして、整流回路５５の出力は、ドライブ回路５６を経由してＬＥＤモジュール５７に供給される。また、ドライブ回路５６の仕様は、蛍光灯グロー安定器および商用交流電源に適合したものが選択される。
【００４４】
更に、図１３に記載のように、フィルタ回路５３及び高周波フィルタ回路５３ｂを設けない構成にしてもよい。
【００４５】
次に、上述のように、照明灯１００は、インバータ式の灯具に装着された際に、電流量に応じて消費電力の削減制御を行う省電力切替回路６０を有している。図１２は、照明灯１００に設けられている省電力切替回路６０の回路図である。図１２に示すように、省電力切替回路６０は、抵抗７０、電流検出回路７１、省電力切替回路６０、および第１〜第３の無効電流用コンデンサ回路７３〜７５を有している。第１〜第３の無効電流用コンデンサ回路７３〜７５は、無効電流生成部の一例である。なお、この例では、キャパシタであるコンデンサを用いることとして説明するが、コンデンサの代わりにインダクタを用いてもよい。また、キャパシタまたはインダクタと、インピーダンス素子とを組み合わせて用いてもよい。
【００４６】
抵抗７０は、低い抵抗値の抵抗（低抵抗）となっており、電源供給配線に対して直列に挿入接続されている。抵抗７０は、照明灯１００がインバータ式の灯具に装着された際に、電源供給配線を流れる電流量を検出するための抵抗となっている。電流検出回路７１は、照明灯１００がインバータ式の灯具に装着された際に、抵抗７０の両端に生ずる電位差（電圧）を、電源供給配線を流れる電流の電流量として検出する。電流検出回路７１は、電流量の検出出力を、省電力切替回路６０に供給する。第１〜第３の無効電流用コンデンサ回路７３〜７５は、それぞれ独立した３つの（３段構成の）無効電流用コンデンサ回路となっている。省電力切替回路６０は、電流検出回路７１で検出された電源供給配線の電流量に応じて、第１〜第３の無効電流用コンデンサ回路７３〜７５を選択的に電源供給配線に接続する。これにより、電源供給配線を流れる電流の電流量に応じて、インバータ安定器に対してインバータ安定器からの出力の一部を無効電流として還流させることができ、省電力化を図ることができる。
【００４７】
詳しく説明すると、第１の無効電流用コンデンサ回路７３は、第１の無効電流用コンデンサ７３Ｃ１および第１のスイッチ７３Ｓ１を備えた第１の回路と、第２の第１の無効電流用コンデンサ７３Ｃ２および第２のスイッチ７３Ｓ２を備えた第２の回路を有している。第１の回路の第１の無効電流用コンデンサ７３Ｃ１は、一端がキャップ部材１ａ側の電源供給配線（白）に接続されている。また、第１の無効電流用コンデンサ７３Ｃ１は、他端がキャップ部材１ｂ側の電源供給配線（黒）に接続されている。第１のスイッチ７３Ｓ１は、第１の無効電流用コンデンサ７３Ｃ１の一端とキャップ部材１ａ側の電源供給配線（白）とを接続する接続ラインに対して、直列に挿入接続されている。
【００４８】
同様に、第１の無効電流用コンデンサ回路７３の第２の回路の第２の無効電流用コンデンサ７３Ｃ２は、一端がキャップ部材１ａ側の電源供給配線（黒）に接続されている。また、第２の無効電流用コンデンサ７３Ｃ２は、他端がキャップ部材１ｂ側の電源供給配線（白）に接続されている。第２のスイッチ７３Ｓ２は、第２の無効電流用コンデンサ７３Ｃ２の他端とキャップ部材１ｂ側の電源供給配線（白）とを接続する接続ラインに対して、直列に挿入接続されている。
【００４９】
すなわち、第１の無効電流用コンデンサ回路７３は、第１の無効電流用コンデンサ７３Ｃ１および第１のスイッチ７３Ｓ１を有する第１の回路と、第２の無効電流用コンデンサ７３Ｃ２および第２のスイッチ７３Ｓ２を有する第２の回路とを、一対（ペア）として備えている。
【００５０】
第２の無効電流用コンデンサ回路７４、および第３の無効電流用コンデンサ回路７５も同様である。第２の無効電流用コンデンサ回路７４は、第１の無効電流用コンデンサ７４Ｃ１および第１のスイッチ７４Ｓ１を有する第１の回路と、第２の無効電流用コンデンサ７４Ｃ２および第２のスイッチ７４Ｓ２を有する第２回路とを、一対（ペア）として備えている。第１の回路は、電源供給配線のニュートラル側に第１の無効電流用コンデンサ７４Ｃ１を接続するように電源供給配線に接続され、第２の回路は、電源供給配線のライン側に第２の無効電流用コンデンサ７４Ｃ２を接続するように、電源供給配線に接続されている。
【００５１】
また、第３の無効電流用コンデンサ回路７５は、第１の無効電流用コンデンサ７５Ｃ１および第１のスイッチ７５Ｓ１を有する第１の回路と、第２の無効電流用コンデンサ７５Ｃ２および第２のスイッチ７５Ｓ２を有する第２の回路とを、一対（ペア）として備えている。第１の回路は、電源供給配線のニュートラル側に第１の無効電流用コンデンサ７５Ｃ１を接続するように電源供給配線に接続され、第２の回路は、電源供給配線のライン側に第２の無効電流用コンデンサ７５Ｃ２を接続するように、電源供給配線に接続されている。
【００５２】
通常、安定器に接続される直管状の蛍光灯の場合、一方のソケットの第１および第２の電極端子間の電圧は約５ボルトである。これに対して、一方のソケットの第１の電極端子と、他方のソケットの第２の電極端子との間の電圧は、約１００ボルトとなる。従って、安定器に接続される一方のソケットの第１および第２の電極端子間の電位差と、一方のソケットの第１の電極端子と他方のソケットの第２の電極端子との電位差とは、同電位差とみなされる。
【００５３】
直管状の蛍光灯の場合には、一方のソケットの一対の電極端子と他方のソケットの一対の電極端子には、それぞれフィラメントが接続され、電気的に左右対称形状となっている。このため、灯具に対する一方のソケットおよび他方のソケットの差込みを、左右逆にしても、電気的な接続に何ら問題は生じない。
【００５４】
これに対して、ＬＥＤを用いた照明灯１００の場合、各無効電流用コンデンサ回路７３〜７５に設けられている、上述の無効電流用コンデンサ（７３ｃ１，７３Ｃ２等）およびスイッチ（７３Ｓ１，７３Ｓ２等）のペアの回路を、一方のソケット側のみ設けると、灯具に対する照明灯１００の装着の仕方によっては、後述する省電力効果が得られなくなる不都合を生ずる。すなわち、灯具に対して照明灯１００を装着することで、現在、上述のペアの回路により省電力効果が得られていたとする。次に、灯具に対して照明灯１００を左右反対に装着したとする。一方のソケット側にのみ、上述のペアの回路が設けられている場合には、灯具に対して照明灯１００を左右反対に装着することで、省電力効果が得られなくなる。
【００５５】
このようなことから、上述のペアの回路は、第１〜第３の無効電流用コンデンサ回路７３〜７５毎に、電源供給配線のニュートラル側に接続された上述のペアの回路、および電源供給配線のライン側に接続された上述のペアの回路を設けている（左右対称）。これにより、ユーザは、装着方向を気にすることなく、灯具に照明灯１００を装着することができる。
【００５６】
次に、省電力切替回路６０は、電流検出回路７１で検出された電源供給配線の電流量に応じて、第１〜第３の無効電流用コンデンサ回路７３〜７５をオン制御する。一例ではあるが、具体的には、省電力切替回路６０は、電流検出回路７１で検出された電流量が所定の閾値で示される電流量以上となった際に、第１の無効電流用コンデンサ回路７３をオン制御すると共に、タイマからの時刻情報を用いて、所定の電流量以上となった時間をカウントする。そして、所定の電流量以上となった時間が、第１の所定の時間となった際に、省電力切替回路６０は、さらに第２の無効電流用コンデンサ回路７４をオン制御する。すなわち、この場合、省電力切替回路６０は、第１，第２の無効電流用コンデンサ回路７３，７４を共にオン制御する。
【００５７】
また、第１，第２の無効電流用コンデンサ回路７３，７４を共にオン制御した後も、省電力切替回路６０は、所定の電流量以上となった時間のカウントを継続し、所定の電流量以上となった時間が、第２の所定の時間となった際に、さらに第３の無効電流用コンデンサ回路７５をオン制御する。すなわち、この場合、省電力切替回路６０は、第１〜第３の無効電流用コンデンサ回路７３〜７５を、全てオン制御する。これにより、電流検出回路７１で検出された電源供給配線の電流量が所定の閾値を超える時間が長くなる毎に、電源供給配線に接続するコンデンサの数が順次増加する。
【００５８】
なお、省電力切替回路６０は、電源供給配線の電流量が所定の電流量未満となった際、第１〜第３の無効電流用コンデンサ回路７３〜７５を全てオフ制御する。そして、省電力切替回路６０は、電源供給配線の電流量が、再度、所定の電流量以上となった場合、所定の電流量以上となっている時間に応じて、第１〜第３の無効電流用コンデンサ回路７３〜７５を、順次、オン制御する。
【００５９】
もう少し詳しく説明すると、一例ではあるが、第１〜第３の無効電流用コンデンサ回路７３〜７５は、いわゆるリレー回路となっている。電流検出回路７１で電源供給配線の電流量が所定の閾値を超えたことが検出されると、まず、第１の無効電流用コンデンサ回路７３の上述の各ペアの回路のうち、有効となっている方のペアのスイッチがオンし、無効電流用コンデンサ回路が電源供給配線に接続される。すなわち、第１の無効電流用コンデンサ７３Ｃ１および第１のスイッチ７３Ｓ１のペアの回路が、照明灯１００の装着方向に対応して有効であった場合、第１のスイッチ７３Ｓ１がオンし、第２のスイッチ７３Ｓ２がオフし、第１の無効電流用コンデンサ７３Ｃ１のみが電源供給配線に接続される。
【００６０】
また、電流検出回路７１で電源供給配線の電流量が所定の閾値を超えてから第１の所定時間が経過した場合、第２の無効電流用コンデンサ回路７４の、この例において有効となっているペアの回路である、第１のスイッチ７４Ｓ１がオンし、第２のスイッチ７４Ｓ２がオフし、第１の無効電流用コンデンサ７４Ｃ１のみが電源供給配線に接続される。さらに、電流検出回路７１で電源供給配線の電流量が所定の閾値を超えてから第２の所定時間が経過した場合、第３の無効電流用コンデンサ回路７５の、この例において有効となっているペアの回路である、第１のスイッチ７５Ｓ１がオンし、第２のスイッチ７５Ｓ２がオフし、第１の無効電流用コンデンサ７５Ｃ１のみが電源供給配線に接続される。
【００６１】
このように無効電流用コンデンサを電源供給配線に接続すると、接続した無効電流用コンデンサの容量に対応するインバータ安定器からの出力の一部を無効電流として、インバータ安定器側に還流させることができる。このため、電源供給配線を流れる電流を減少させて、省電力化を図ることができる。
【００６２】
なお、電源供給配線の電流量が所定の電流量未満となった際には、第１〜第３の無効電流用コンデンサ回路７３〜７５の各スイッチ７３Ｓ１，７３Ｓ２，７４Ｓ１，７４Ｓ２，７５Ｓ１，７５Ｓ２は、全てオフとなる。これにより、電源供給配線から各コンデンサ７３Ｃ１，７３Ｃ２，７４Ｃ１，７４Ｃ２，７５Ｃ１，７５Ｃ２は、全て切り離される。また、この例では、照明灯１００の装着方向に対応する、第１の無効電流用コンデンサ７３Ｃ１，７４Ｃ１，７５Ｃ１および第１のスイッチ７３Ｓ１，７４Ｓ１，７５Ｓ１の各ペアの回路が動作することとした。照明灯１００の装着方向が反対とされた場合は、第２の無効電流用コンデンサ７３Ｃ２，７４Ｃ２，７５Ｃ２および第２のスイッチ７３Ｓ２，７４Ｓ２，７５Ｓ２の各ペアの回路が動作する。
【００６３】
以上の説明から明らかなように、実施の形態の照明装置は、照明灯１００がインバータ安定器を備えた灯具に装着された際に、抵抗７０および電流検出回路７１で、電源供給配線を流れる電流の電流量を検出する。そして、省電力切替回路６０が、所定以上の電流量となった際に、所定以上の電流量となってから連続して経過した時間に応じて、電源供給配線に接続する無効電流用コンデンサの容量（数）を調整する。これにより、接続した無効電流用コンデンサの容量に応じて、商用交流電流の一部を無効電流として、インバータ安定器側に還流させることができ、電源供給配線を流れる電流を減少させて、省電力化を図ることができる。
【００６４】
上述の実施の形態は、例として提示したものであり、本発明の範囲を限定することは意図していない。この新規な実施の形態は、その他の様々な形態で実施されることが可能であり、発明の要旨を逸脱しない範囲で、種々の省略、置き換え、変更を行うことも可能である。実施の形態および実施の形態の変形は、発明の範囲や要旨に含まれると共に、特許請求の範囲に記載された発明とその均等の範囲に含まれる。
【符号の説明】
【００６５】
１ａ  ソケット
１ｂ  ソケット
５１  インバータ検知回路
５５  整流回路
５７  ＬＥＤモジュール
６０  省電力切替回路
７０  抵抗
７１  電流検出回路
７３  第１の無効電流用コンデンサ回路
７３Ｃ１  第１の無効電流用コンデンサ
７３Ｃ２  第２の無効電流用コンデンサ
７３Ｓ１  第１のスイッチ
７３Ｓ２  第２のスイッチ
７４  第２の無効電流用コンデンサ回路
７４Ｃ１  第１の無効電流用コンデンサ
７４Ｃ２  第２の無効電流用コンデンサ
７４Ｓ１  第１のスイッチ
７４Ｓ２  第２のスイッチ
７５  第３の無効電流用コンデンサ回路
７５Ｃ１  第１の無効電流用コンデンサ
７５Ｃ２  第２の無効電流用コンデンサ
７５Ｓ１  第１のスイッチ
７５Ｓ２  第２のスイッチ
１００  照明灯
【先行技術文献】
【特許文献】
【００６６】
【特許文献１】特開２００８−２７７１８８号公報
【図１】
2015176830.tif 000003
【図２】
2015176830.tif 000004
【図３】
2015176830.tif 000005
【図４】
2015176830.tif 000006
【図５】
2015176830.tif 000007
【図６】
2015176830.tif 000008
【図７】
2015176830.tif 000009
【図８】
2015176830.tif 000010
【図９】
2015176830.tif 000011
【図１０】
2015176830.tif 000012
【図１１】
2015176830.tif 000013
【図１２】
2015176830.tif 000014
【図１３】
2015176830.tif 000015